(57)【要約】【課題】  本発明は、紫外線を放射しないで、しかも使用するにつれての比光量の低下量を小さくした閃光放電管およびこれを組み込んだストロボ装置を提供する。【解決手段】  本発明の閃光放電管は、希ガスを封入したガラスバルブ１３の両端部に主電極２，３がビードガラス４，５によって封止され、前記ガラスバルブ１３の外周面にトリガ電極９が形成されている。そして、前記ガラスバルブ１３が紫外線カットガラスによって形成され、該ガラスバルブ１３の内面に二酸化珪素の被膜１４が形成されている。また、本発明のストロボ装置は、前記本発明の閃光放電管が組み込まれている。【選択図】  図１
2006216360.tif 000002
【特許請求の範囲】
【請求項１】
希ガスを封入したガラスバルブの両端部に主電極がビードガラスによって封止され、前記ガラスバルブの外周面にトリガ電極が形成された閃光放電管において、
前記ガラスバルブが紫外線カットガラスによって形成され、該ガラスバルブの内面に二酸化珪素の被膜が形成されていることを特徴とする閃光放電管。
【請求項２】
前記希ガスは、キセノンを含んでいることを特徴とする請求項１に記載の閃光放電管。
【請求項３】
請求項１または２に記載の閃光放電管が組み込まれていることを特徴とするストロボ装置。
【請求項４】
前記閃光放電管に近接して光透過性の発光パネルが配置されていることを特徴とするストロボ装置。
【発明の詳細な説明】
【技術分野】
【０００１】
本発明は、写真撮影などで使用されるストロボ装置およびこれに組み込まれる閃光放電管に関し、特に、細径化したガラスバルブが備えられた閃光放電管およびこれを組み込んだストロボ装置に関する。
【背景技術】
【０００２】
写真撮影用のストロボ装置や写真用カメラに内蔵される人工光源として、閃光放電管が使用されている。そして、発光量が大きいながら小型化してもクラックなどが入らないようにした閃光放電管が特許文献１に開示されている。
【０００３】
この閃光放電管は、図２に示すように、ガラスバルブ１内にキセノンなどの希ガスが所定圧で封入され、ガラスバルブ１の両端部に主電極２，３がビードガラス４，５によって封止された構成となっている。ガラスバルブ１は、硬質である硼珪酸ガラスによって形成されるが、内周面に透光性のよい二酸化珪素（シリカ）の保護被膜６が積層されることにより強化され、細径化されてもクラックが入らないようにされている。
【０００４】
そして、一方の主電極２は、主放電コンデンサ（図示せず）の低圧側に接続されるカソード電極であり、ビードガラス４に封止される軸状の金属体７と、この金属体７の内端部に保持され、ガラスバルブ１内の端部に配置される焼結金属体８によって構成されている。他方の主電極３は、前記の主放電コンデンサの高圧側に接続されるアノード電極であり、ビードガラス４に封止される軸状の金属体のみで構成されている。
【０００５】
さらに、閃光放電管の放電を励起するためのトリガ電極９がガラスバルブ１の外周面に透明の導電性被膜によって形成されている。トリガ電極９は、トリガ回路（図示せず）に接続され、放電を励起するための高圧のトリガ電圧が印加される。
【０００６】
このように構成された閃光放電管は、主放電コンデンサが例えば300Ｖに充電された状態で、トリガ回路が作動することにより、トリガ電極９に数キロＶの高電圧が印加され、閃光放電管が励起されることにより、閃光が発せられる。ガラスバルブ１内の希ガスがキセノンを含んでいると、太陽光に近い白色の閃光が発せられる。
【０００７】
このような閃光放電管は、図３に示すようなストロボ装置１０に組み込まれる。このストロボ装置は、樋形状の反射傘１１が閃光放電管を囲み、この反射傘１１の開口面を発光パネル１２が塞いでいる。反射傘１１の内面には、光を効率よく反射するための光反射層が銀蒸着によって形成されている。そして、発光パネル１２は、発光特性を調整するため、アクリルなどの光透過性樹脂によって成型されている。
【特許文献１】国際公開第０２／０６７２８９号パンフレット
【発明の開示】
【発明が解決しようとする課題】
【０００８】
ストロボ装置１０は、特にカメラに内蔵されるタイプにおいて、小型化の要請があり、閃光放電管は小型化・細径化されるだけでなく、発光パネル１２に近接して反射傘１１内に組み込まれている。すると、ストロボ装置１０の発光パネル１２は、アクリルなどの光透過性樹脂によって形成されていることから、閃光放電管から放射された320nm以下の波長の紫外線によって変色し、ストロボ装置１０は太陽光に近い白色の閃光を発することができなくなる。
【０００９】
したがって、特開２００１−２２０１７５号に開示された蛍光ランプ用タングステンシールガラスのように、紫外線をカットするガラス（紫外線カットガラス）によってガラスバルブ１を形成し、閃光放電管から紫外線を含まない閃光を発するようにすることにより、発光パネル１２に紫外線が照射されないようにすることも考えられる。
【００１０】
しかし、ガラスバルブ１が紫外線カットガラスによって形成された閃光放電管は、光量が低下するという不具合がある。具体的に、ガラスバルブ１が紫外線をカットしないガラスによって形成された閃光放電管と紫外線カットガラスによって形成された閃光放電管との光量低下率などを表１と表２とに示す。
【００１１】
【表１】
2006216360.tif 000003
【００１２】
【表２】
2006216360.tif 000004
【００１３】
いずれの表も、５本の閃光放電管について比光量などを算出したものである。初期の比光量は、紫外線をカットしないガラス製の閃光放電管（表１）も紫外線カットガラス製の閃光放電管（表２）も大差はない。しかし、紫外線カットガラス製の閃光放電管は、寿命時の比光量が大きく低下している。具体的には、初期の比光量と寿命時の比光量との差である光量低下率の平均値は、紫外線をカットしないガラス製の閃光放電管が4.51％であるのに対し、紫外線カットガラス製の閃光放電管が21.33％である。このように、紫外線カットガラス製の閃光放電管は、使用するにつれて、比光量が低下するという不具合がある。
【００１４】
そこで、本発明は、紫外線を放射しないで、しかも使用するにつれて比光量が低下しないようにした閃光放電管およびこれを組み込んだストロボ装置を提供することを課題とする。
【課題を解決するための手段】
【００１５】
本発明に係る閃光放電管は、希ガスを封入したガラスバルブの両端部に主電極がビードガラスによって封止され、前記ガラスバルブの外周面にトリガ電極が形成された閃光放電管において、前記ガラスバルブが紫外線カットガラスによって形成され、該ガラスバルブの内面に二酸化珪素の被膜が形成されていることを特徴としている。
【００１６】
この閃光放電管によれば、ガラスバルブが紫外線カットガラスによって形成されることにより、閃光放電管が発する閃光に紫外線が含まれなくなり、この閃光放電管を組み込んだストロボ装置は、これに備えられた発光パネルの変色が小さくなり、初期に近い品質を維持することができる。そして、ガラスバルブの内面に二酸化珪素の被膜が形成されることにより、光量の低下率を小さくすることができる。
【００１７】
また、前記本発明に係る閃光放電管において、前記希ガスは、キセノンを含んでいることが好ましい。
【００１８】
この閃光放電管によれば、ガラスバルブに封入される希ガスにキセノンが含まれることにより、閃光放電管は、太陽光に近い白色の閃光を発する。ただし、この光には、320nm以下の波長の紫外線も含まれる。しかし、ガラスバルブが紫外線カットガラスによって形成されていることにより、閃光放電管は紫外線を放射することがない。
【００１９】
本発明に係るストロボ装置は、前記本発明に係る閃光放電管が組み込まれていることを特徴としている。
【００２０】
このストロボ装置によれば、前記本発明に係る閃光放電管が組み込まれることにより、紫外線を含まない閃光が発せられ、しかも光量の低下率が小さい状態で被写体を照明することができる。
【００２１】
また、前記本発明に係るストロボ装置において、前記閃光放電管に近接して光透過性の発光パネルが配置されていてもよい。
【００２２】
このストロボ装置によれば、光透過性の発光パネルが閃光放電管に近接して配置されても、閃光放電管から紫外線が放射されないため、発光パネルの変色などの劣化が小さく、良好な状態を維持することができる。
【発明の効果】
【００２３】
本発明によれば、閃光放電管は、ガラスバルブが紫外線カットガラスによって形成され、該ガラスバルブの内面に二酸化珪素の被膜が形成されていることにより、比光量の低下が小さい、紫外線を含んでいない閃光を発することができる。したがって、この閃光放電管を組み込んだストロボ装置は、発光パネルの変色などの劣化が小さく、初期のストロボ光に近い照明が長時間継続できる。この結果、閃光放電管は、高品質でありながら、さらに小型化を図ったストロボ装置に取り付けることができるようになる。
【発明を実施するための最良の形態】
【００２４】
本発明に係る閃光放電管の一実施形態について図１を参照しながら説明する。なお、従来と同一部分は、同一符号を付して説明する。
【００２５】
この閃光放電管は、希ガスを封入したガラスバルブ１３の両端部に主電極２，３がビードガラス４，５によって封止され、前記ガラスバルブ１３の外周面にトリガ電極９が形成されている。そして、この閃光放電管は、前記ガラスバルブ１３が紫外線カットガラスによって形成され、このガラスバルブ１３の内面に二酸化珪素の被膜１４が形成されていることを特徴としている。
【００２６】
また、ガラスバルブ１３内に封入される希ガスは、キセノンを含むことにより、この閃光放電管が太陽光に近い白色の閃光を発するようにされている。そして、一方の主電極２は、軸状の金属体７と、この金属体７の内端部にカシメや溶接などによって保持される焼結金属体８とからなるカソード電極であり、主放電コンデンサ（図示せず）の低圧側に接続される。他方の主電極３は、軸状の金属体のみからなるアノード電極であり、主放電コンデンサの高圧側に接続される。
【００２７】
そして、ガラスバルブ１３の外周面には、透明の導電性被膜によってトリガ電極９が形成されている。トリガ電極９は、トリガ回路（図示せず）に接続され、放電を励起するための高圧のトリガ電圧が印加される。
【００２８】
このように構成された閃光放電管は、主放電コンデンサが例えば300Ｖに充電された状態で、トリガ回路が作動することにより、トリガ電極９に数キロＶの高電圧が印加され、閃光放電管が励起されることにより、閃光が発せられる。
【００２９】
ここで、本発明に係る閃光放電管の光量低下率などを表３に示す。
【００３０】
【表３】
2006216360.tif 000005
【００３１】
表３は、５本の閃光放電管について比光量などを算出したもので、寿命時の比光量は初期の比光量と差がほとんどないといえる。具体的には、初期の比光量と寿命時の比光量との差である比光量低下率の平均値は、3.87％であり、表２に示した紫外線カットガラス製の閃光放電管はいうに及ばず、表１に示した硼珪酸ガラス製の閃光放電管よりも優れた数値となっている。したがって、本発明に係る閃光放電管は、ガラスバルブ１３の内面に二酸化珪素の被膜１４が形成されることにより、使用し続けても初期に近い光量での閃光が長時間発せられる。
【００３２】
また、本発明に係る閃光放電管は、図３に示したようなストロボ装置１０に組み込まれる。ストロボ装置１０が小型化され、閃光放電管に近接して発光パネル１２が配置され、発光パネル１２がアクリルなどの光透過性樹脂によって形成されていても、閃光放電管は紫外線を含まない閃光が発せられるため、発光パネル１２は変色することがない。
【００３３】
したがって、このストロボ装置１０は、比光量が低下しないだけでなく、これまでに比べ長時間、太陽光に近い白色の閃光を発して、被写体を照明することができる。
【００３４】
なお、本発明は、前記実施の形態に限定することなく、特許請求の範囲に記載した発明特定事項の範囲内において種々変更することができる。例えば、希ガスは、キセノン以外であっても同様に実施することができる。
【産業上の利用可能性】
【００３５】
本発明に係る閃光放電管は、比光量の低下が小さく、紫外線を含んでいない閃光を発することができるため、ストロボ装置などとして有用である。
【００３６】
また、本発明に係るストロボ装置は、発光パネルの変色などの劣化が小さく、初期に近いストロボ光での照明が長時間できるため、小型化された写真用カメラに有用である。
【図面の簡単な説明】
【００３７】
【図１】本発明に係る閃光放電管の一実施形態を示す断面図
【図２】従来の閃光放電管の断面図
【図３】閃光放電管を取り付けたストロボ装置の斜視図
【符号の説明】
【００３８】
２  主電極
３  主電極
４  ビードガラス
５  ビードガラス
９  トリガ電極
１０  ストロボ装置
１３  ガラスバルブ
１４  被膜
【図１】
2006216360.tif 000006
【図２】
2006216360.tif 000007
【図３】
2006216360.tif 000008